(57)【要約】【課題】撮影モードのまま再生モードに移行することなく、記録媒体に書込まれた画像の削除を迅速に行うことを可能にするデジタルカメラを提供する。【解決手段】撮影モードにおいて、スルー画を表示しているとき、専用の削除釦１８の押下により、再生モードに移行することなく、最後に撮影された画像の記録媒体（メモリカ−ド１４）からの削除を可能にする。また、削除する画像を記録媒体に記録されている複数の画像の中から選択してもよいし、記録媒体をフォーマットしてもよい。【選択図】      図１
2004248060.tif 000002
【特許請求の範囲】
【請求項１】
撮影モードと再生モードとを有するデジタルカメラにおいて、
前記撮影モードにおいて構図確認用画像を表示する表示手段と、
前記撮影モードにおいて撮影済みの画像を記録媒体から削除する削除手段と
を設けたことを特徴とするデジタルカメラ。
【請求項２】
請求項１記載のデジタルカメラにおいて、
前記撮影済みの画像は、最後に撮影された画像であることを特徴とするデジタルカメラ。
【請求項３】
撮影モードと再生モードとを有するデジタルカメラにおいて、
前記撮影モードにおいて構図確認用画像を表示する表示手段と、
前記撮影済みの画像を記録媒体に書込処理をしている最中に、前記書込処理を中断して、書込途中の画像を削除する削除手段を設けたことを特徴とするデジタルカメラ。
【請求項４】
請求項３記載のデジタルカメラにおいて、
前記削除手段は、前記書込処理を中断した後、前記記録媒体の書込処理を行った領域について、有効なデータが何も書かれていない状態に戻す処理を行うことを特徴とするデジタルカメラ。
【発明の詳細な説明】
【０００１】
【発明の属する技術分野】
本発明は、デジタルカメラで撮像した画像を撮影モードでにおいて削除することを可能にしたデジタルカメラに関する。
【０００２】
【従来の技術】
従来技術において、デジタルカメラで撮影された画像をデジタルカメラから削除する場合、次の３通りの方法がある。
第１の方法は、再生モードにおいてデジタルカメラの背面に設けられた液晶モニタにメニューを表示し、カーソルでメニューの削除を選択して、一つ又は複数の画像を選択して、削除するものである（例えば、特許文献１参照）。なお、再生モードには、簡易再生モードを含んでいる。簡易再生モードとは、撮影モードでありながら、例えば液晶モニタ上方の１／４の領域に既に撮影された画像を表示するようなモードである。
【０００３】
第２の方法は、再生モードにおいて、デジタルカメラに設けられた釦を操作して、画像を削除するものである。この釦は、削除専用の釦ではなく、他の機能を合わせ持つものである。なお、再生モードには、前記した簡易再生モードを含んでいる。
第３の方法は、撮影モードにおいて、撮影直後に撮影画像確認用に液晶モニタに表示される画像（以後、フリーズ画と称する）を釦操作により、削除するものである。
【０００４】
【特許文献１】
特開２００１−９４９２７号公報（図７）
【０００５】
【発明が解決しようとする課題】
前記した従来技術には次のような問題点がある。
【０００６】
第１の方法は、複数の画像を一度の操作で削除する場合に適している。しかし、撮影モードにおいて撮影している最中に画像を削除したい場合、デジタルカメラを再生モードに戻す必要がある。したがって、撮影モードから削除を行う場合、迅速に画像を削除できないという問題点がある。
第２の方法は、確実に削除する画像を確認した上で削除することができる。しかし、第２の方法においても、第１の方法と同様に、撮影モードから再生モードへの移行が必要であり、迅速に画像を削除できないという問題点がある。
【０００７】
第３の方法は、撮影直後のフリーズ画を素早く削除することができる。しかし、通常、フリーズ画は撮影画像を確認するための画像であり、デジタルカメラは次の撮影に具える必要がある。そのため、フリーズ画の表示時間が短く、撮影直後のわずかな時間に限って削除可能となる。したがって、削除する場合、素早く削除の操作を行う必要があり、場合によっては削除できないこともある。
【０００８】
本発明は、前記した従来技術の問題点に鑑み為されたもので、撮影ミスをした場合、及び記憶媒体であるメモリカードの残容量が少ない場合、撮影モードのまま再生モードに移行することなく、画像の削除を迅速に行うことを可能にするデジタルカメラを提供することにある。
【０００９】
【課題を解決するための手段】
請求項１記載のデジタルカメラは、撮影モードと再生モードとを有するデジタルカメラにおいて、前記撮影モードにおいて液晶モニタに構図確認用画像を表示する表示手段と、前記撮影モードにおいて撮影済みの画像を記録媒体から削除する削除手段を設けたことを特徴とする。
【００１０】
請求項１記載の発明によれば、撮影モードのまま再生モードに移行することなく、画像の削除を迅速に行うことができる。
請求項２記載のデジタルカメラは、請求項１記載のデジタルカメラにおいて、前記撮影済みの画像は、最後に撮影された画像であることを特徴とする。
請求項２記載の発明によれば、撮影モードのまま再生モードに移行することなく、最後に撮影された画像の削除を迅速に行うことができる。
【００１１】
請求項３記載のデジタルカメラは、撮影モードと再生モードとを有するデジタルカメラにおいて、前記撮影モードにおいて液晶モニタに構図確認用画像を表示する表示手段と、前記撮影済みの画像を記録媒体に書込処理している最中に、前記書込処理を中断して、書込途中の画像を削除する削除手段を設けたことを特徴とする。
【００１２】
請求項３記載の発明によれば、撮影モードのまま再生モードに移行することなく、最後に撮影された画像の記録媒体への書込処理を中断することができる。
請求項４記載のデジタルカメラは、請求項３記載のデジタルカメラにおいて、前記削除手段は、前記書込処理を中断した後、前記記録媒体の書込処理を行った領域について、有効なデータが何も書かれていない状態に戻す処理を行うことを特徴とする。
【００１３】
請求項４に記載の発明によれば、書込処理を中断した記録媒体の領域を、有効なデータが何も書かれていない状態に戻すことができ、次の書込みに具えることができる。
【００１４】
【発明の実施の形態】
以下、添付の図面に示す実施の形態について説明する。
【００１５】
図１と図２は、本発明のデジタルカメラの一実施の形態を示すブロック図である。
デジタルカメラ１は、撮像部１０と圧縮／伸長部１１と表示処理部１２と液晶モニタ１６と制御部１３とメモリード用インタフェース部１５とメモリカード１４と操作部１７と削除釦１８とバス１９とから構成されている。ここで、撮像部１０は、レンズ等の光学系とＣＣＤと前記ＣＣＤから出力されるアナログ画像信号をデジタル画像信号に変換するＡ／Ｄ変換部から構成されている。
【００１６】
撮像部１０から出力されるデジタル画像データは、バス１９を介して圧縮／伸長部１１に入力される。圧縮／伸長部１１は、入力されたデジタル画像信号を公知の圧縮法によって圧縮し、圧縮されたデジタル画像信号はバス１９を介して表示処理部１２に入力される。表示処理部１２は、液晶モニタ１５で表示可能な形式に圧縮されたデジタル画像信号を変換処理する。液晶モニタ１５は、表示処理部１２から表示用の画像信号を受けて、画像表示を行う。続いて、圧縮／伸長部１１で圧縮されたデジタル画像信号は、メモリカード用インタフェース部１５を介してメモリカード１４に書込まれる。
【００１７】
図１に示す削除釦１８は、撮影モードにおいて、画像を削除するための専用釦である。この削除釦１８は、図２に示すように、例えばデジタルカメラ１の背面に設けられた液晶モニタ１６の下方に設けられる。
なお、図１、図２は、特許請求の範囲に記載する全ての請求項に対応する。
図３は、図１、図２に示す実施の形態において、撮影モードで画像を削除する際の動作を示すフローチャートである。
【００１８】
ステップＳ１において、デジタルカメラ１の液晶モニタ１６には、通常、構図確認用画像（（ファインダ画像）、以後スルー画と称する）が表示されており、このときメモリカード１４が初期化される。なお、スルー画は、光学ファインダを用いて撮影する場合、液晶モニタ１６に表示されていないこともある。また、メモリカード１４の初期化とは、制御部１３が、メモリカード１４の種類、メモリカード１４内のファイル構造、ファイル数等の情報を得ること意味する。
【００１９】
ステップＳ２において、削除釦１８が押下されたか否かを判定する。削除釦１８が押下されたと判定された場合、図４に示すフローチャートの（Ａ）に進む。削除釦１８が押下されていないと判定された場合、ステップＳ３に進む。ここでは、削除釦１８は押下されていないと判定されたものとし、ステップＳ３に進んだとものして説明する。
【００２０】
ステップＳ３において、デジタルカメラ１のレリーズ釦が全押しされたか否かが判定される。周知のように、レリーズ釦の半押しで、露出や光学系の合焦点動作等の撮影準備が行われ（図示せず）、レリーズ釦の全押しにより撮影が行われる。全押しが行われていない場合、ステップＳ２に戻る。全押しが行われた場合、ステップＳ４に進む。
【００２１】
ステップＳ４において、撮影処理が実行される。
ステップＳ５において、液晶モニタ１６のオン／オフが判定される。液晶モニタ１６がオフの場合、液晶モニタ１６を用いることなく、光学系のファインダによる構図確認を行い、撮影が行われたことを意味する。この場合、ステップＳ９に進む。液晶モニタ１６がオンの場合、ステップＳ６に進む。
【００２２】
ステップＳ６において、ステップＳ４で撮影した画像を確認するため、液晶モニタ１６にフリーズ画を表示する。
ステップＳ７において、ステップＳ６において表示されたフリーズ画を削除するため、削除釦１８が押下されたか否かが判定される。削除釦１８が押下されたと判定された場合、図４に示すフローチャートの（Ａ）に進む。削除釦１８が押下されていないと判定された場合、ステップＳ８に進む。ここでは、削除釦１８は押下されていないと判定されたものとし、ステップＳ８に進んだとものして説明する。
【００２３】
ステップＳ８において、スルー画を表示する。
ステップＳ９において、メモリカード１４に画像の書込みを開始する。
ステップＳ１０において、ステップＳ９において書込みが開始された画像を削除するため、削除釦１８が押下されたか否かが判定される。削除釦１８が押下されたと判定された場合、図４に示すフローチャートの（Ａ）に進む。削除釦１８が押下されていないと判定された場合、ステップＳ１１に進む。ここでは、削除釦１８は押下されていないと判定されたものとし、ステップＳ１１に進んだとものして説明する。
【００２４】
ステップＳ１１において、メモリカード１４にステップＳ４で撮影された画像のデータが全て書込まれたか否かが判定される。全データの書込みが終了したと判定されない場合、ステップＳ９に戻り、書込みが続行される。全データの書込みが終了したと判定された場合、ステップＳ２に戻る。
図３に示すフローチャートにおいて、従来技術と異なるのは、ステップＳ２とステップＳ１０において、削除釦１８が押下されたか否かが判定されていることである。なお、ステップＳ７における削除釦１８の押下は、従来の技術の欄に記載した第３の方法（フリーズ画の削除）に相当している。
【００２５】
ステップＳ２、Ｓ７、Ｓ１０において、削除釦１８が押下されたと判定された場合、図４に示すフローチャートの（Ａ）に進む。
図４に示すフローチャートのステップＳ１０１において、液晶モニタ１６のオン／オフが判定される。液晶モニタ１６がオフと判定された場合、ステップＳ１０２に進み、液晶モニタ１６がオンされる。液晶モニタ１６がオンと判定された場合には、ステップＳ１０２をとばして、ステップＳ１０３に進む。
【００２６】
ステップＳ１０３において、液晶モニタ１６に、「画像を削除しますか？  ＹＥＳ  ＮＯ」という内容を示すメッセージが表示される。ここで、「ＹＥＳ  ＮＯ」は、デジタルカメラの背面に設けられたカーソル移動用キー（図示せず）によりカーソルを移動することにより、いずれか一方が選択可能に構成されている。
ステップＳ１０４において、削除が選択されたか否かが判定される。削除が選択された場合には、ステップＳ１０５に進む。削除が選択されなかった場合には、ステップＳ１１０に進む。ここでは、削除が選択され、ステップＳ１０５に進んだものとして説明する。
【００２７】
ステップＳ１０５において、削除釦１８がステップＳ７のタイミングで押下されたか否かが判定される。ステップＳ７のタイミングで押下されたと判定された場合、削除する対象が図３のステップＳ６において表示されたフリーズ画（ステップＳ１０５の判断時点では、表示されていない）であることがわかる。この場合、図３に示す（Ｂ）に進み、ステップＳ２に戻る。その理由は、前記フリーズ画の場合、メモリカード１４への書込みがまだ開始されていないためである（図３のステップＳ６〜Ｓ１１参照（特に、ステップＳ９））。ステップＳ７のタイミングで押下されたものではないと判定された場合、ステップＳ１０６に進む。
【００２８】
ステップＳ１０６において、画像をカードメモリ１４に書込中であるか否かが判定される。書込中ではないと判定された場合（書込終了の場合）、ステップＳ１０７に進み、図３のステップＳ４で撮影した最終画像を書込んだメモリアドレスを示すポインタを読み取る。
【００２９】
ステップＳ１０８において、ＦＡＴ情報（Ｆｉｌｅ  Ａｌｌｏｃａｔｉｏｎ  Ｔａｂｌｅ）から前記ポインタの値に基づいて前記最終画像のファイルを削除する。その後、図３に示す（Ｂ）に進み、ステップＳ２に戻る。
ステップＳ１０６において、書込中であると判定された場合には、ステップＳ１０９に進み、書込中断処理を行う。ここで、書込中断処理とは、次のような処理を意味する。すなわち、最終画像のデータは、まだ書込みが終了していないので（ファイル生成過程にある）、前記ＦＡＴ情報に記録されていない。そこで、ステップＳ１０８に示すように、ＦＡＴ情報のデータを操作することによる最終画像の削除は不可能である。したがって、記録媒体であるカードメモリ１４の書込処理が中断された領域について、有効なデータが何も記録されていない状態に戻す処理を行う必要がある。この処理が、書込中断処理である。これにより、記録媒体であるカードメモリ１４は次の書込みに具えることができる。ステップＳ１０９における処理が終了した後、図３に示す（Ｂ）に進み、ステップＳ２に戻る。
【００３０】
次に、前記ステップＳ１０４において、削除が選択されなかったと判定され、ステップＳ１１０に進んだ場合について説明する。
ステップＳ１１０において、現在撮影中か否かが判定される。撮影中ではないと判定された場合、図３に示す（Ｂ）に進み、ステップＳ２に戻る。撮影中であると判定された場合、図３に示す（Ｃ）に進み、ステップＳ９に戻る。ここで、撮影中ではないと判定されることは、削除釦１８がステップＳ２のタイミングで押下されたことを意味する。そこで、再度、ステップＳ２に戻るのである。
【００３１】
また、撮影中であると判定されることは、削除釦１８が、ステップＳ７、Ｓ１０のいずれかの一方のタイミングで押下されたことを意味する。ステップＳ７、Ｓ１０のタイミングで削除釦１８が押下された場合には、記録媒体であるカードメモリ１４に最終画像のデータを書込む必要があるため、ステップＳ９に戻るのである。
【００３２】
図３と図４に示すフローチャートにおいて、請求項１及び請求項２に記載する削除手段は、図３に示すステップＳ２における処理と図４に示すステップＳ１０６、Ｓ１０７、Ｓ１０８における処理が対応する。同様に、請求項３及び請求項４に記載する削除手段は、図３に示すステップＳ１０における処理と図４に示すステップＳ１０６、Ｓ１０９における処理が対応する。また、請求項１及び請求項３に記載する表示手段は、図１に示す表示処理部１２と液晶モニタ１６が対応する。
【００３３】
なお、以上の説明においては、ステップＳ１０８における削除において最終画像を削除するものとして説明したが、本発明はこれに限定されるものではない。例えば、メモリカード１４に記録されている複数の画像の中から選択した画像を削除してもよいし、メモリカード１４のフォーマットを行ってもよい。
【００３４】
【発明の効果】
本発明によれば、撮影ミスをしたり、記憶媒体であるメモリカードの残容量が少ない場合、撮影モードのまま再生モードに移行することなく、画像の削除を迅速に行うことを可能にするデジタルカメラを提供することができる。
【図面の簡単な説明】
【図１】本発明のデジタルカメラの一実施の形態を示すブロック図である。
【図２】デジタルカメラ１の背面を示す図。
【図３】図１、図２に示す実施の形態の動作を示すフローチャートである。
【図４】図１、図２に示す実施の形態の動作を示すフローチャートである。
【符号の説明】
１  デジタルカメラ
１０  撮像部
１１  圧縮／伸長部
１２  表示処理部
１３  制御部
１４  メモリカード
１５  メモリード用インタフェース部
１６  液晶モニタ
１７  操作部
１８  削除釦
１９  バス
【図１】
2004248060.tif 000003
【図２】
2004248060.tif 000004
【図３】
2004248060.tif 000005
【図４】
2004248060.tif 000006